(57)【要約】【課題】多数の利用者が利用する測定端末と、各利用者が個人的に用いる携帯装置との各々で測定された生体データを総合的に管理する。【解決手段】測定端末１０のＣＰＵ１１０は、入力部１０を介して携帯装置から読み出したシリアルＩＤをサーバに送信し、携帯装置が登録済であることを確認する処理と、サーバ２０から携帯装置が登録済である旨の応答を受信した後に、携帯装置から読み出した生体データをサーバに送信する処理と、生体データをサーバに送信した後に、表示タッチパネル１２０にパスワードの入力を促す画面を表示させる処理と、利用者が正しいパスワードを入力したか否かを判定する処理と、利用者が正しいパスワードを入力した場合に、利用者の求めに応じて、測定処理を実行し、生成した生体データをサーバに送信する処理とを実行する、【選択図】図３
2010086220.tif 000002
【特許請求の範囲】
【請求項１】
複数の利用者の各々が所有し、一意に識別可能な第１識別情報を予め記憶しており、前記利用者の生体の状態に関する第１生体データを記憶可能な第１装置と、
前記複数の利用者が利用可能な測定端末と、
前記測定端末と通信可能なサーバとを備え、
前記測定端末は、
前記利用者の生体の状態を測定して第２生体データを生成する測定部と、
前記第１装置から前記識別情報及び前記第１生体データを読み出す入力部と、
前記利用者がパスワードを入力する操作部と、
画像を表示する表示部と、
制御部とを備え、
前記制御部は、
前記第１装置から読み出した前記第１識別情報を前記サーバに送信し、当該第１装置が登録済であることを確認する処理と、
前記サーバから当該第１装置が登録済である旨の応答を受信した後に、前記第１装置から読み出した前記第１生体データを前記サーバに送信する処理と、
前記第１生体データを前記サーバに送信した後に、前記表示部にパスワードの入力を促す画面を表示させる処理と、
前記利用者が正しいパスワードを入力したか否かを判定する処理と、
前記利用者が正しいパスワードを入力した場合に、前記利用者の求めに応じて、前記サーバとの間でデータの授受を含む各種の処理とを実行する、
ことを特徴とする健康管理システム。
【請求項２】
複数の利用者の各々が所有し、一意に識別可能な第１識別情報を予め記憶しており、前記利用者の生体の状態に関する第１生体データを記憶可能な第１装置と、サーバとを備えた健康管理システムに用いられる測定端末であって、
前記利用者の生体の状態を測定して第２生体データを生成する測定部と、
前記第１装置から前記第１識別情報及び前記第１生体データを読み出す入力部と、
前記利用者がパスワードを入力する操作部と、
画像を表示する表示部と、
制御部とを備え、
前記制御部は、
前記第１装置から読み出した前記第１識別情報を前記サーバに送信し、当該第１装置が登録済であることを確認する処理と、
前記サーバから当該第１装置が登録済である旨の応答を受信した後に、前記第１装置から読み出した前記第１生体データを前記サーバに送信する処理と、
前記第１生体データを前記サーバに送信した後に、前記表示部にパスワードの入力を促す画面を表示させる処理と、
前記利用者が正しいパスワードを入力したか否かを判定する処理と、
前記利用者が正しいパスワードを入力した場合に、前記利用者の求めに応じて、前記サーバとの間でデータの授受を含む各種の処理とを実行する、
ことを特徴とする測定端末。
【請求項３】
前記各種の処理には、前記測定装置を用いて前記第２生体データを生成し、当該第２生体データと前記第１識別情報とを含む要求を前記サーバに送信して、前記サーバに前記第２生体データを記憶させる処理が含まれることを特徴とする請求項２に記載の測定端末。
【請求項４】
前記各種の処理には、前記サーバに前記第１識別情報を送信して、前記サーバに記憶されている前記利用者の前記第１生体データと前記第２生体データとのうち少なくとも一方を読み出して、前記表示部に過去の生体の状態を表示させる処理が含まれることを特徴とする請求項２に記載の測定端末。
【請求項５】
前記制御部は、
前記サーバから当該第１装置が登録済でない旨の応答を受信した後に、前記第１装置を前記サーバに新規登録してサービスを利用可能とする新規登録処理を実行し、
当該新規登録処理において、
新規のパスワードと前記サーバに登録されていない第２識別情報とを前記利用者に入力させ、
当該新規のパスワード、当該第２識別情報及び前記第１識別情報を前記サーバに送信する、
ことを特徴とする請求項２乃至４のうちいずれか１項に記載の測定端末。
【請求項６】
前記制御部は、
前記サーバから当該第１装置が登録済でない旨の応答を受信した後に、前記第１装置を前記サーバに追加登録する追加登録処理を実行し、
当該追加登録処理において、
前記サーバに登録済みのパスワードと前記サーバに登録済みの第２識別情報とを前記利用者に入力させ、
当該パスワード、当該第２識別情報及び前記第１識別情報を前記サーバに送信する、
ことを特徴とする請求項２乃至４のうちいずれか１項に記載の測定端末。
【請求項７】
複数の利用者の各々が所有し、一意に識別可能な第１識別情報を予め記憶しており、前記利用者の生体の状態に関する第１生体データを記憶可能な第１装置と、前記複数の利用者が利用可能であり、前記利用者の生体の状態を測定して第２生体データを生成する測定端末とを備えた健康管理システムに用いられるサーバであって、
前記複数の利用者を一意に識別する第２識別情報と、前記第１識別情報と、パスワードと、前記第１生体データと、前記第２生体データとを関連付けて記憶する記憶部と、
前記測定端末と通信を行う通信部と、
制御部とを備え、
前記制御部は、
前記測定端末から前記第１識別情報を含み、当該第１識別情報が登録済みであるか否かの確認要求を受信すると、前記記憶部にアクセスして当該第１識別情報が記憶されているか否かを判定し、判定結果を確認応答として前記測定端末に返信し、
前記測定端末から、前記第１識別情報と前記第１生体データとを含む格納要求を受信すると、受信した前記第１生体データを前記第１識別情報と関連付けて前記記憶部に記憶させ、
前記測定端末において、前記記憶部に前記第１識別情報と対応付けられて記憶されているパスワードが入力された後に、前記第１識別情報と前記第２生体データとを含む格納要求を前記測定端末から受信すると、受信した前記第２生体データを前記第１識別情報と関連付けて前記記憶部に記憶させる、
ことを特徴とするサーバ。
【請求項８】
複数の利用者の各々が所有し、一意に識別可能な第１識別情報を予め記憶しており、前記利用者の生体の状態に関する第１生体データを記憶可能な第１装置と、前記複数の利用者が利用可能であり、前記利用者の生体の状態を測定して第２生体データを生成する測定端末とを備えた健康管理システムに用いられるサーバであって、
前記複数の利用者を一意に識別する第２識別情報と、前記第１識別情報と、パスワードと、前記第１生体データと、前記第２生体データとを関連付けて記憶する記憶部と、
前記測定端末と通信を行う通信部と、
制御部とを備え、
前記制御部は、
前記測定端末から前記第１識別情報を含み、当該第１識別情報が登録済みであるか否かの確認要求を受信すると、前記記憶部にアクセスして当該第１識別情報が記憶されているか否かを判定し、判定結果を確認応答として前記測定端末に返信し、
前記測定端末から、前記第１識別情報と前記第１生体データとを含む格納要求を受信すると、受信した前記第１生体データを前記第１識別情報と関連付けて前記記憶部に記憶させ、
前記測定端末において、前記記憶部に前記第１識別情報と対応付けられて記憶されているパスワードが入力された後に、前記第１識別情報を含む閲覧要求を前記測定端末から受信すると、前記記憶部から、受信した前記第１識別情報と関連付けて記憶されている前記第１生体データ及び前記第２生体データの少なくとも一方を読み出して、前記測定端末に閲覧応答として返信する、
ことを特徴とするサーバ。
【発明の詳細な説明】
【技術分野】
【０００１】
本発明は、利用者の生体の状態を測定し、その測定結果に基づいて利用者の健康管理に利用される健康管理システム、測定端末及びサーバに関する。
【背景技術】
【０００２】
店舗などに設置され、利用者から与えられる個人データと装置により行われる測定の結果に基づいて、利用者の健康状態を評価する測定装置が知られている。さらに、特許文献１には、利用者の健康状態の詳細なレポートと共に、忠告や製品情報をプリントアウト可能な測定装置が開示されている。
【特許文献１】特表２００４−５０８８４５号公報
【発明の開示】
【発明が解決しようとする課題】
【０００３】
しかしながら、従来の測定装置は、設置場所に利用者が出向いて生体の状態を測定するものであるから、利用者の日常における生体の状態を測定することはできない。さらに、利用者の歩いた歩数や、尿糖値といった情報は、特定の場所に設置されている測定装置における測定になじまない。一方、歩数計や尿糖計は、測定の対象となる生体の状態を示す指標が限定されており、他の指標との関係で総合的に利用者の健康を管理するには不向きであると共に、小型化されているため、搭載するメモリの容量には限界があり、過去の測定結果を長期に亘って記憶することができないといった問題があった。
本発明は、上述した事情に鑑みてなされたものであり、多数の利用者が利用する装置と、各利用者が個人的に用いる装置との各々で測定されたデータを総合的に管理することを解決課題とする。
【課題を解決するための手段】
【０００４】
上述した課題を解決するため、本発明に係る健康管理システムは、複数の利用者の各々が所有し、一意に識別可能な第１識別情報（例えば、シリアルＩＤ）を予め記憶しており、前記利用者の生体の状態に関する第１生体データを記憶可能な第１装置（例えば、携帯装置６０）と、前記複数の利用者が利用可能な測定端末と、前記測定端末と通信可能なサーバとを備え、前記測定端末は、前記利用者の生体の状態を測定して第２生体データを生成する測定部と、前記第１装置から前記識別情報及び前記第１生体データを読み出す入力部と、前記利用者がパスワードを入力する操作部と、画像を表示する表示部と、制御部とを備え、前記制御部は、前記第１装置から読み出した前記第１識別情報を前記サーバに送信し、当該第１装置が登録済であることを確認する処理と、前記サーバから当該第１装置が登録済である旨の応答を受信した後に、前記第１装置から読み出した前記第１生体データを前記サーバに送信する処理と、前記第１生体データを前記サーバに送信した後に、前記表示部にパスワードの入力を促す画面を表示させる処理と、前記利用者が正しいパスワードを入力したか否かを判定する処理と、前記利用者が正しいパスワードを入力した場合に、前記利用者の求めに応じて、前記サーバとの間でデータの授受を含む各種の処理とを実行することを特徴とする。
【０００５】
第１装置において第１生体データに割り当てられた記憶容量が小さい場合には、頻繁に測定端末に出向く必要があるが、その所有者が多忙である場合には、測定端末に行くことができず折角、測定した第１生体データがオバーフローすることが起こり得る。この発明によれば、第１装置に記憶されている第１識別情報がサーバに登録済みであれば、パスワードが不明であってもそこに記憶されている第１生体データをサーバに送信して格納することができる。したがって、第１装置の所有者が第三者に依頼して第１装置を測定端末に持って行けば、サーバに第１生体データを格納することができる。その一方で、正しいパスワードを入力しなければ、測定端末においてサーバとの間でデータの授受を含む各種の処理を実行することはできない。したがって、第三者に過去に測定した第１生体データや第２生体データを閲覧されることもない。
【０００６】
次に、本発明に係わる測定端末は、複数の利用者の各々が所有し、一意に識別可能な第１識別情報を予め記憶しており、前記利用者の生体の状態に関する第１生体データを記憶可能な第１装置と、サーバとを備えた健康管理システムに用いられるものであって、前記利用者の生体の状態を測定して第２生体データを生成する測定部と、前記第１装置から前記第１識別情報及び前記第１生体データを読み出す入力部と、前記利用者がパスワードを入力する操作部と、画像を表示する表示部と、制御部とを備え、前記制御部は、前記第１装置から読み出した前記第１識別情報を前記サーバに送信し、当該第１装置が登録済であることを確認する処理と、前記サーバから当該第１装置が登録済である旨の応答を受信した後に、前記第１装置から読み出した前記第１生体データを前記サーバに送信する処理と、前記第１生体データを前記サーバに送信した後に、前記表示部にパスワードの入力を促す画面を表示させる処理と、前記利用者が正しいパスワードを入力したか否かを判定する処理と、前記利用者が正しいパスワードを入力した場合に、前記利用者の求めに応じて、前記サーバとの間でデータの授受を含む各種の処理とを実行することを特徴とする。
【０００７】
この測定端末によれば、第１装置の所有者が第三者に依頼して第１装置を測定端末に持って行けば、サーバに第１生体データを格納することができる。その一方で、正しいパスワードを入力しなければ、測定端末においてサーバとの間でデータの授受を含む各種の処理を実行することはできない。したがって、第三者に過去に測定した第１生体データや第２生体データを閲覧されることもない。
【０００８】
上述した測定端末において、前記各種の処理には、前記測定装置を用いて前記第２生体データを生成し、当該第２生体データと前記第１識別情報とを含む要求を前記サーバに送信して、前記サーバに前記第２生体データを記憶させる処理が含まれることが好ましい。各種の処理は、正しいパスワードを入力した場合に実行されるので、パスワードを知らない第三者が第１装置の所有者本人になりすまして、第２生体データを生成してサーバに記憶することを防止できる。
【０００９】
上述した測定端末において、前記各種の処理には、前記サーバに前記第１識別情報を送信して、前記サーバに記憶されている前記利用者の前記第１生体データと前記第２生体データとのうち少なくとも一方を読み出して、前記表示部に過去の生体の状態を表示させる処理が含まれることが好ましい。各種の処理は、正しいパスワードを入力した場合に実行されるので、パスワードを知らない第三者は、第１装置の所有者の依頼により、第１生体データをサーバに送信させることができても、所有者の生態の状態を閲覧することはできない。
【００１０】
また、上述した測定端末において、前記制御部は、前記サーバから当該第１装置が登録済でない旨の応答を受信した後に、前記第１装置を前記サーバに新規登録してサービスを利用可能とする新規登録処理を実行し、当該新規登録処理において、新規のパスワードと前記サーバに登録されていない第２識別情報（例えば、ログインＩＤ）とを前記利用者に入力させ、当該新規のパスワード、当該第２識別情報及び前記第１識別情報を前記サーバに送信することが好ましい。この場合には、利用者の第１装置を新たに登録することができるので、登録後に各種の処理を測定端末で実行させることが可能となる。
【００１１】
また、上述した測定端末において、前記制御部は、前記サーバから当該第１装置が登録済でない旨の応答を受信した後に、前記第１装置を前記サーバに追加登録する追加登録処理を実行し、当該追加登録処理において、前記サーバに登録済みのパスワードと前記サーバに登録済みの第２識別情報とを前記利用者に入力させ、当該パスワード、当該第２識別情報及び前記第１識別情報を前記サーバに送信することが好ましい。この場合は、一人の利用者が複数の第１装置を登録することが可能となる。これにより、例えば、歩数計と尿糖計といった測定の対象が異なる装置を登録して、各種の生体データをサーバで総合的に管理することが可能となる。
【００１２】
次に、本発明に係わるサーバは、複数の利用者の各々が所有し、一意に識別可能な第１識別情報を予め記憶しており、前記利用者の生体の状態に関する第１生体データを記憶可能な第１装置と、前記複数の利用者が利用可能であり、前記利用者の生体の状態を測定して第２生体データを生成する測定端末とを備えた健康管理システムに用いられるものであって、前記複数の利用者を一意に識別する第２識別情報と、前記第１識別情報と、パスワードと、前記第１生体データと、前記第２生体データとを関連付けて記憶する記憶部（例えば、ＴＢＬ１及びＴＢＬ３を記憶するＲＡＭ２５０）と、前記測定端末と通信を行う通信部と、制御部とを備え、前記制御部は、前記測定端末から前記第１識別情報を含み、当該第１識別情報が登録済みであるか否かの確認要求を受信すると、前記記憶部にアクセスして当該第１識別情報が記憶されているか否かを判定し、判定結果を確認応答として前記測定端末に返信し、前記測定端末から、前記第１識別情報と前記第１生体データとを含む格納要求を受信すると、受信した前記第１生体データを前記第１識別情報と関連付けて前記記憶部に記憶させ、前記測定端末において、前記記憶部に前記第１識別情報と対応付けられて記憶されているパスワードが入力された後に、前記第１識別情報と前記第２生体データとを含む格納要求を前記測定端末から受信すると、受信した前記第２生体データを前記第１識別情報と関連付けて前記記憶部に記憶させることを特徴とする。
この発明によれば、第１装置の所有者が第三者に依頼して第１装置を測定端末に持って行けば、サーバに第１生体データを格納することができる。その一方で、パスワードを知らない第三者が第１装置の所有者本人になりすまして、第２生体データを生成してサーバに記憶することを防止できる。
【００１３】
次に、本発明に係わるサーバは、複数の利用者の各々が所有し、一意に識別可能な第１識別情報を予め記憶しており、前記利用者の生体の状態に関する第１生体データを記憶可能な第１装置と、前記複数の利用者が利用可能であり、前記利用者の生体の状態を測定して第２生体データを生成する測定端末とを備えた健康管理システムに用いられるものであって、前記複数の利用者を一意に識別する第２識別情報と、前記第１識別情報と、パスワードと、前記第１生体データと、前記第２生体データとを関連付けて記憶する記憶部と、前記測定端末と通信を行う通信部と、制御部とを備え、前記制御部は、前記測定端末から前記第１識別情報を含み、当該第１識別情報が登録済みであるか否かの確認要求を受信すると、前記記憶部にアクセスして当該第１識別情報が記憶されているか否かを判定し、判定結果を確認応答として前記測定端末に返信し、前記測定端末から、前記第１識別情報と前記第１生体データとを含む格納要求を受信すると、受信した前記第１生体データを前記第１識別情報と関連付けて前記記憶部に記憶させ、前記測定端末において、前記記憶部に前記第１識別情報と対応付けられて記憶されているパスワードが入力された後に、前記第１識別情報を含む閲覧要求を前記測定端末から受信すると、前記記憶部から、受信した前記第１識別情報と関連付けて記憶されている前記第１生体データ及び前記第２生体データの少なくとも一方を読み出して、前記測定端末に閲覧応答として返信することを特徴とする。
この発明によれば、第１装置の所有者が第三者に依頼して第１装置を測定端末に持って行けば、サーバに第１生体データを格納することができる。その一方で、正しいパスワードを入力しなければ、測定端末においてサーバとの間でデータの授受を含む各種の処理を実行することはできない。したがって、第三者に過去に測定した第１生体データや第２生体データを閲覧されることもない。
【発明を実施するための最良の形態】
【００１４】
以下、添付の図面を参照しながら本発明に係る実施の形態を説明する。なお、図面においては、各部の寸法の比率は実際のものとは適宜に異ならせてある。
＜１． 健康管理システムの構成＞
＜１−１．全体構成＞
図１に、本発明の一実施形態に係る健康管理システム１の全体構成を示す。図１に示されるように、健康管理システム１は、複数の測定端末１０，１０，…、サーバ２０、複数の個人通信端末３０，３０…、及び複数の管理通信端末４０，４０，…、並びにこれらの間で通信するための通信網ＮＥＴを備える。
【００１５】
測定端末１０は、企業の食堂、フィットネスクラブ、健康管理センター、あるいはショッピングモールといった場所に設置されて、多数の利用者に使用される。測定端末１０は、血圧、体重、あるいは体組成といった生体の状態に関する各種の指標を測定し、測定結果を表示すると共に、通信網ＮＥＴを介してサーバ２０に送信する。サーバ２０は、測定結果を記憶すると共に、測定端末１０からの要求に応じて、過去の測定結果や、これを加工したデータなどを測定端末１０に返信する。
【００１６】
測定端末１０は、所定の場所に設置されているので、利用者の歩いた歩数や、尿糖値といった情報は測定端末１０での測定になじまない。しかながら、これらの情報は、利用者の健康管理に有用である。一方、歩数計や尿糖計といった携帯装置６０は、測定の対象となる生体の状態を示す指標が限定されており、他の指標との関係で総合的に利用者の健康を管理するには不向きである。また、携帯装置６０は、小型化されているため、搭載するメモリの容量には限界があり、過去の測定結果を長期に亘って記憶することができない。そこで、健康管理システム１では、携帯装置６０に記憶された測定結果を測定端末１０を介してサーバ２０に送信して記憶できるようになっている。これによって、利用者の日々の健康状態を健康管理システム１で把握し、他の指標と組み合わせて、総合的に利用者の健康を管理することが可能となる。
【００１７】
また、携帯装置６０は、歩数計などの生体の状態を直接測定する装置だけでなく、リレーキーと呼ばれる装置を含む。リレーキーは、通信機能の備えたデータ収集のための装置である。例えば、家庭に設置される体重計や体組成計は、利用者が気軽に持ち歩く程、小型化されていない。リレーキーは体重計や体組成計といった装置との間で通信を実行し、そこに格納されている体重や体組成といった生体の状態を示す指標を読み出して記憶する。健康管理システム１では、リレーキーに記憶された情報を、測定端末１０を介してサーバ２０に格納することが可能である。なお、以下の実施形態では、歩数計６０Ａとリレーキー６０Ｂを携帯装置６０の一例として説明する。
【００１８】
ところで、サーバ２０に格納される各利用者の各種の指標は、利用者ごとに区別して管理する必要がある。このため、各利用者を識別する認証が必要となる。各携帯装置６０には、当該装置を一意に特定することが可能なシリアルＩＤが各々記憶されている。利用者の認証では、後述するようにシリアルＩＤを用いて認証を簡素化している。また、認証装置５０を用いて認証を行うことも可能である。認証装置５０にもシリアルＩＤが記憶されている。認証装置５０は、例えば、非接触型のＩＣチップが組み込まれたＩＣカード、時計、携帯電話機が該当する。なお、以下の実施形態では、ＩＣカード５０Ａを一例として説明する。
【００１９】
次に、複数の個人通信端末３０，３０…、は、各利用者が所有する。この個人通信端末３０を用いて、利用者はサーバ２０にアクセスして、そこに格納されている自分自身のデータにアクセスしたり、あるいは、歩数計６０Ａやリレーキー６０Ｂなどに記憶されたデータをサーバ２０に送信することが可能である。個人通信端末３０は、例えば、通信機能を備えたパーソナルコンピュータや携帯電話機が該当する。
【００２０】
次に、複数の管理通信端末４０，４０…は、管理者が所有する。管理者は管理通信端末４０を用いて所定の権限の範囲内で利用者のデータにアクセスすることが可能である。例えば、フィットネスクラブＡの管理者は、フィットネスクラブＡに属する利用者のデータにアクセスすることが可能である。
【００２１】
＜１−２．測定端末の構成＞
図２に測定端末１０の外観構成を示す。この図に示すように測定端末１０は、台座１１の上に、椅子１３、重量測定装置１６０、及び本体１２を備える。また、本体１２にはＬ字型の形状をした支持部材１４が固着されており、この支持部材１４の上に血圧測定装置１８０が取り付けられている。血圧の測定時には、利用者は椅子１３に腰掛けて、左腕を血圧測定装置１８０の穴部１８１に通して測定を行う。
【００２２】
また、本体１２の上面には、表示タッチパネル１２０が設けられている。表示タッチパネル１２０の右側には、入力部１３０が設けられている。入力部１３０は、歩数計６０Ａ、リレーキー６０Ｂ、及びＩＣカード５０Ａとデータの授受を行うインターフェースとして機能する。さらに、本体１２の側面には、体組成の測定時に用いるグリップ１５及び１６が設けられている。
【００２３】
体重の測定時には、利用者は重力測定装置１６０の上に立つことになる。また、体組成の測定時には、利用者は立った姿勢でグリップ１５及び１６を左右の掌で握る。
【００２４】
図３に、測定端末１０の電気的構成を示す。測定端末１０は、表示タッチパネル１２０と、入力部１３０と、通信部１４０と、記憶装置１５０と、これら各部を制御するＣＰＵ１１０とを備える。表示タッチパネル１２０は、例えば、ＬＣＤ（Liquid Crystal Display）などの表示装置にタッチ入力の機能が付加された装置である。表示タッチパネル１２０には、測定端末１０の操作方法や、測定データ（生体情報）または生成された健康データや日付などの各種データを表示する。また、表示タッチパネル１２０には、メニューキーやアップキー、ダウンキーなどが表示され、利用者はこれらのキーに触れることにより、指示や身長、年齢、性別などの個人データを入力することが可能であるとともに、機能選択など各種設定入力を行うことが可能である。
【００２５】
入力部１３０は上述したように各種の機器とのインターフェースであり、Ｂｌｕｅｔｏｏｔｈ（登録商標）やＩｒＤＡ（Infrared Data Association；登録商標）などの無線通信の機能を備えていてもよい。通信部１４０は、通信網ＮＥＴを介してサーバ２０と通信を行う。記憶装置１５０は、入力部１３０を介して入力されたデータや測定されたデータを記憶するとともに、測定端末１０全体を制御する制御プログラムを予め記憶する。
【００２６】
測定端末１０は、さらに、生体情報測定手段として、生体電気インピーダンス測定部１７０（電流供給部１７０Ａおよび電圧検出部１７０Ｂ）と、重量測定装置１６０と、血圧測定装置１８０を備える。
詳細には、グリップ１５に電流電極１ａと電圧電極１ｂとが形成されており、グリップ１６に電流電極２ａと電圧電極２ｂとが形成されている。そして、利用者がグリップ１５及び１６を左右の手で把持したときに、電流供給部１７０Ａは、電流電極１ａ及び２ａに高周波の微弱な定電流を印加し、電圧検出部１７０Ｂは電圧電極１ｂ及び２ｂを介して電位差を測定する。
重量測定装置１６０は、利用者が乗ったときに、その重量である利用者の体重を測定する。生体電気インピーダンス測定手段１７０および重量測定装置１６０はＣＰＵ１１０に接続される。ＣＰＵ１１０は、体重測定が指定されている場合には、重量測定装置１６０から供給された測定結果を取得し、体組成測定が指定されている場合には、電圧検出部１７０Ｂおよび重量測定装置１６０から供給された測定結果と個人データ（性別、身長、年齢など）に基づいて、記憶装置１５０に記憶された算出プログラムに従い体組成データを算出する。さらに、ＣＰＵ１１０は、血圧測定が指定されている場合には、血圧測定装置１８０から供給された測定結果を取得する。
なお、本実施形態の測定端末１０は、図２に示されるような、利用者の掌を電極に接触させて生体電気インピーダンスを測定する装置に限られず、身体の他の部位（例えば、足裏）に電極を接触させる装置であってもよい。また、その他各種の測定手段を用いて生体の状態を測定し生体情報を出力する、公知の生体情報測定装置を備えてもよい。
【００２７】
測定端末１０を体脂肪計として機能させる場合、ＣＰＵ１１０は、以下に示す式（１）に従って体脂肪率％Ｆatを推定する。
％Ｆat＝ｆ１・Ｚ・Ｗ／Ｈ２−ｆ２……（１）
但し、ｆ１及びｆ２は定数であり、性別によって値が異なる。また、Ｚは生体電気インピーダンス、Ｈは身長、Ｗは体重である。このうち、「生体電気インピーダンス」と「体重」とは測定端末１０によって測定される。一方、「身長」は体脂肪率％Ｆatを生成するためのパラメータであり、利用者の個人データとしてサーバ２０から供給される。
ここで、式（１）の第１項において「Ｗ／Ｈ２」は体格指数ＢＭＩであり、肥満の度合いを示す。式（１）の定数ｆ１及びｆ２は、ＤＸＡ（Dual energy X-ray Absorptiometry）法によって得られた体脂肪率に基づいて重回帰分析を行い、導かれたものである。ＤＸＡ法は波長の異なる２種類の放射線を用い、その透過量から人体の組成を求める。ＤＸＡ法は、体脂肪率を高い精度で測定することができるが、装置が大規模となりごく微量であるが放射線を被爆するといった問題がある。これに対して、本実施形態で採用する生体インピーダンス法によれば、簡易且つ安全に体脂肪率％Ｆatを推定することができる。
【００２８】
測定端末１０を体組成計として機能させ、内臓脂肪断面積を推定する場合、ＣＰＵ１１０は、以下に示す式（２）に従って内臓脂肪断面積ＶＦＡを推定する。
ＶＦＡ＝ｖ１・Ｚ・Ｗ／Ｈ２−ｖ２＋ｖ３・Ｅ……（２）
但し、ｖ１、ｖ２及びｖ３は定数であり、性別によって値が異なる。Ｅは年齢である。「身長」及び「年齢」は内臓脂肪断面積ＶＦＡを生成するためのパラメータであり、利用者の個人データとしてサーバ２０から供給される。
ここで、式（２）の第３項において「ｖ３・Ｅ」とあるのは、一般に高齢になると運動不足となり内臓脂肪が増加する傾向があるからである。式（２）の定数ｖ１〜ｖ３は、ＣＴ（Computed Tomography）法によって得られた内臓脂肪断面積ＶＦＡに基づいて重回帰分析を行い、導かれたものである。ＣＴ法は、生体のある断面に多方向から幅の狭いＸ線ビームを曝射し、透過したＸ線を検出してその断面内でのＸ線の吸収の度合の空間分布をコンピュータで計算し画像化するものである。ＣＴ法は。ＤＸＡ法と同様に、内臓脂肪断面積を高い精度で測定することができるが、装置が大規模となりごく微量であるが放射線を被爆するといった問題がある。これに対して、本実施形態で採用する生体インピーダンス法によれば、簡易且つ安全に内臓脂肪断面積ＶＦＡを推定することができる。
【００２９】
＜１−３．サーバの構成＞
図４にサーバ２０の電気的構成を示す。サーバ２０は、制御中枢として機能するＣＰＵ２１０、ディスプレイなどの表示部２２０、キーボードやマウスで構成される操作入力部２３０、通信網ＮＥＴを介して通信を実行する通信部２４０、各種の処理の作業領域として機能するＲＡＭ２５０、ブートプログラムが格納されるＲＯＭ２６０、制御プログラムが格納されるハードディスク２７０を備える。
【００３０】
サーバ２０は、データベースとして機能し、各種のテーブルを関係付けてハードディスク２７０に格納している。そして、ＲＡＭ２５０に各種のテーブルを展開し、これを参照して、測定端末１０、個人通信端末３０及び管理通信端末４０からの要求に対して応答を生成する。
サーバ２０が記憶する各種のテーブルには、図５に示す第１テーブルＴＢＬ１、第２テーブルＴＢＬ２、及び第３テーブルＴＢＬ３が含まれる。さらに、図５には示していない第４テーブルが含まれる。
第１テーブルＴＢＬ１は、各種のＩＤとパスワードとを関連付けて記憶しており、主として認証に用いられる。より具体的には、ログインＩＤ、パスワード、シリアルＩＤ、及びサイトＩＤを関連付けて記憶している。
【００３１】
ログインＩＤは利用者を一意に識別するためのＩＤであり、利用者が健康管理システム１の利用するに場合に、サービスの利用開始時に、測定端末１０などから入力される。パスワードは、利用者が測定端末１０を利用する度に入力され、認証に用いられる。シリアルＩＤは、携帯装置６０や認証装置５０を一意に識別できるように設定されており、利用者がサービス開始時に登録した装置を特定する。但し、シリアルＩＤは利用者の目に触れることはなく、携帯装置６０や認証装置５０から自動的に測定端末１０を介してサーバ２０に送信される。また、シリアルＩＤは、ログインＩＤに対して重複して割り当てることが可能である。図５に示す第１テーブルＴＢＬ１では、ログインＩＤ「ＡＡＡＡ」に対してシリアルＩＤ「Ｘ４５６７」と「Ｙ９８７６」とが割り当てられている。これは、ログインＩＤ「ＡＡＡＡ」の利用者がシリアルＩＤ「Ｘ４５６７」が記録されたＩＣカード５０ＡとシリアルＩＤ「Ｙ９８７６」が記録された歩数計６０Ａを所有する場合である。この場合、利用者はＩＣカード５０Ａと歩数計６０Ａのいずれを用いても認証を得ることができるから、いずれか一方を持ち忘れた場合であっても、測定端末１０を利用することができる。
【００３２】
サイトＩＤは、利用者のグループを識別するためのＩＤであり、グループ毎に割り当てられている。例えば、フィットネスクラブＡに属する利用者に割り当てられるサイトＩＤは「ＪＷ３３」であり、企業Ｂに属する利用者に割り当てられるサイトＩＤは「ＧＨ８５」である。図５に示すログインＩＤ「ＡＢＣＤ」の利用者は、フィットネスクラブＡのみに属しているが、ログインＩＤ「ＱＷＥＲ」の利用者は、フィットネスクラブＡと企業Ｂに属している。このように、サイトＩＤは、重複して登録することが可能である。これにより、重複して登録した利用者は、複数のグループで測定端末１０を利用することができる。例えば、ログインＩＤ「ＱＷＥＲ」の利用者は、フィットネスクラブＡに設置された測定端末１０と企業Ｂに設置された測定端末１０の双方を利用することができる。なお、一つのグループで複数の測定端末１０を所有することもある。例えば、企業Ｂでは、本社と工場の各々に測定端末１０を配置していたとする。この場合、各測定端末１０を区別して管理できれば、健康管理に有用である。例えば、事務仕事の多い本社部門では工場部門と比較して肥満の傾向があるといった健康管理の分析を行うことも可能となる。このため、同一のグループに属する各測定端末１０に枝番を割り当てサイトＩＤを管理してもよい。具体的には、企業ＢのサイトＩＤを「ＧＨ８５」とした場合、本社に設置された測定端末１０にはサイトＩＤ「ＧＨ８５-1」を割り当て、工場に設置された測定端末１０にはサイトＩＤ「ＧＨ８５-2」といった具合である。
【００３３】
第２テーブルＴＢＬ２には、ログインＩＤと個人データとが対応付けられて記憶されている。個人データは、性別、生年月日、身長、及び体型から構成される。これらの情報は、利用者が健康管理システム１の利用する場合に、サービスの利用開始時に、測定端末１０などから入力される。
【００３４】
第３テーブルＴＢＬ３には、ログインＩＤと生体データとが対応付けられて記憶されている。生体データは、体重データ、血圧データ、体組成データ、尿糖データ及び歩数データなどから構成され、これらの一部又は全部がログインＩＤと対応付けられて記憶されている。
【００３５】
また、第４テーブルには、ログインＩＤと記録データとが対応付けて記憶されている。記録データは、利用者が目標実践、運動実践、あるいは目標達成について日々の変化を示すものである。
【００３６】
＜２． 健康管理システムの動作＞
次に、健康管理システムの動作について説明する。
＜２−１．測定端末の全体動作＞
図６及び７に測定端末の全体動作のフローチャートを示す。測定端末１０のＣＰＵ１１０は、表示タッチパネル１２０にスタート画面を表示させる（ステップＳ１）。スタート画面は、測定を開始するために利用者が何をすればよいかを示す。
【００３７】
次に、ＣＰＵ１１０は、利用者が画面にタッチしたか否かを判定し（ステップＳ２）、利用者が画面にタッチすると処理をステップＳ３に進める。ステップＳ３では、ＣＰＵ１１０は、認証に用いる機器を選択する画面を表示タッチパネル１２０に表示させる。例えば、図８に示す機器選択の画面である。そして、利用者が画面領域Ｘ１、Ｘ２、及びＸ３の何れかに触れると、ＣＰＵ１１０はこれを検知する。ＣＰＵ１１０は、選択された機器に応じて測定端末１０と機器との間で通信を行うために利用者が必要な動作を示す画面を表示させる（ステップＳ４）。例えば、利用者が画面領域Ｘ３に触れた場合には、ＩＣカード５０Ａを入力部１３０（図２参照）に近づけるように促す画面が表示される。
【００３８】
次に、ＣＰＵ１１０は利用者のＩＣカード５０Ａ、歩数計６０Ａ、又はリレーキー６０Ｂから、シリアルＩＤを読み出す。そして、ＣＰＵ１１０は、シリアルＩＤが登録済みであるか否かを問い合わせる確認要求にシリアルＩＤを含ませてサーバ２０に送信する（ステップＳ５）。
【００３９】
サーバ２０は、シリアルＩＤを受信すると、シリアルＩＤが第１テーブルＴＢＬ１に格納されているか否かを示す確認応答を通信端末１０に返信する。ＣＰＵ１１０は、確認応答に基づいて、選択された機器が登録済みか否かを判定する（ステップＳ６）。
判定条件が肯定された場合には、ＣＰＵ１１０は、処理を後述するステップＳ１１に進め、判定条件が否定された場合にはステップＳ７に進めて、新規登録又は追加登録を選択する画面を表示タッチパネル１２０に表示させる（ステップＳ７）。図９に新規登録又は追加登録を選択する画面の一例を示す。
【００４０】
次に、ＣＰＵ１１０は新規登録が選択されたか否かを判定する（ステップＳ８）。図９に示す画面において、利用者が画面領域Ｘ１１をタッチすると、ＣＰＵ１１０は追加登録が選択されたと判定し、処理をステップＳ１０に進め、追加登録処理を実行する。一方、利用者が画面領域Ｘ１２をタッチすると、ＣＰＵ１１０は新規登録が選択されたと判定し、処理をステップＳ９に進め、新規登録処理を実行する。追加登録処理と新規登録処理については、後述する。
【００４１】
次に、選択された機器が登録済みであった場合、ＣＰＵ１１０はステップＳ１１において選択された機器から生体データを読み出して、これをサーバ２０に送信する。例えば、選択された機器が、歩数計６０Ａであれば歩数データがサーバ２０に送信され、体重計と通信可能なリレーキー６０Ｂであれば体重データがサーバ２０に送信される。
【００４２】
送信処理が完了すると、ＣＰＵ１１０は、パスワードの入力を利用者に促す画面を表示タッチパネル１２０に表示させ（ステップＳ１２）、入力されたパスワードが正しいか否かを判定する（ステップＳ１３）。シリアルＩＤに対応するパスワードは、ステップＳ６において、サーバ２０が確認応答に含ませて送信してもよいし、あるいは、ステップＳ１３において、ＣＰＵ１１０がシリアルＩＤとパスワードとの組を含むパスワード確認要求をサーバ２０に送信し、サーバ２０のＣＰＵ２１０が第１テーブルＴＢＬ１を参照して、パスワードの真偽を判定し、判定結果をパスワード確認応答として、測定端末１０に返信してもよい。
【００４３】
入力されたパスワードが誤っている場合には、ＣＰＵ１１０はパスワードの再入力画面を表示タッチパネルに表示させ（ステップＳ１４）、再度、パスワードの判定を実行する。一方、入力されたパスワードが正しい場合には、ＣＰＵ１１０は動作選択画面を表示タッチパネル１２０に表示させる（ステップＳ１５）。図１０に動作選択画面の一例を示す。図１０に示す画面において、利用者が画面領域Ｘ２１をタッチすると、ＣＰＵ１１０は測定が選択されたと判定し、処理をステップＳ１７に進め、測定処理を実行する。利用者が画面領域Ｘ２２をタッチすると、ＣＰＵ１１０は過去データの閲覧が選択されたと判定し、処理をステップＳ１８に進め、データ閲覧処理を実行する。さらに、利用者が画面領域Ｘ２３をタッチすると、ＣＰＵ１１０は記録が選択されたと判定し、処理をステップＳ１９に進め、記録入力処理を実行する。これらの処理の詳細は後述する。
ところで、歩数計６０Ａやリレーキー６０Ｂは、利用者が携帯できるように小型化されており、そこに記憶できる生体データには一定の限界がある。例えば、歩数計６０Ａの場合は、１週間程度の記憶容量である。このため、利用者は、頻繁に測定端末１０に出向いて、生体データをサーバ２０にアップロードすることが好ましい。しかし、利用者が多忙である場合には、測定端末１０に行くことができず折角、測定した生体データがオバーフローすることが起こり得る。本実施形態によれば、携帯装置６０に記憶されているシリアルＩＤがサーバ２０に登録済みであれば、パスワードが不明であってもそこに記憶されている生体データをサーバ２０に送信して格納することができる。したがって、携帯装置６０を所有している利用者が第三者に依頼して携帯装置６０を測定端末１０に持って行けば、サーバ２０に生体データを格納することができる。その一方で、正しいパスワードを入力しなければ、測定端末１０においてサーバ２０との間でデータの授受を含む各種の処理を実行することはできない。したがって、第三者に過去に測定した生体データを閲覧されることもない。
【００４４】
＜２−２．新規登録処理＞
図１１は、新規登録処理の内容を示すフローチャートである。まず、ＣＰＵ１１０は、新規登録の入力画面を表示タッチパネル１２０に表示させる（ステップＳ２０）。図１２に新規登録の入力画面の一例を示す。ここで、利用者が画面領域３１をタッチすると、ＣＰＵ１１０はログインＩＤの入力画面を表示タッチパネル１２０に表示させ、利用者の入力を促す（ステップＳ２３）。利用者がログインＩＤの入力を完了すると、ＣＰＵ１１０は入力されたログインＩＤを含むログインＩＤ登録要求をサーバ２０に送信する。サーバ２０のＣＰＵ２１０は、第１テーブルＴＢＬ１を検索して、同一のログインＩＤが登録されているか否かを判定し、判定結果をログインＩＤ登録応答として、測定端末１０に返信する。ＣＰＵ１１０はログインＩＤ登録応答に基づいて、重複するログインＩＤが存在するか否かを判定する（ステップＳ２４）。
【００４５】
既に登録されている場合は、判定条件が否定され、ＣＰＵ１１０は、ログインＩＤの再入力画面を表示タッチパネルに表示させて、利用者に再入力を促す（ステップＳ２５）。そして、ＣＰＵ１１０は、ステップＳ２４の判定条件が肯定されるまで、処理を繰り返し、判定条件が肯定されると、処理をステップＳ２６に進める。
次に、図１２に示す入力画面において、利用者が画面領域Ｘ３２をタッチすると、ＣＰＵ１１０はパスワードの入力画面を表示タッチパネル１２０に表示させ、利用者の入力を促す（ステップＳ２２）。利用者がパスワードの入力を完了すると、ＣＰＵ１１０は、処理をステップＳ２６に進める。
次に、図１２に示す入力画面において、利用者が画面領域Ｘ３３をタッチすると、ＣＰＵ１１０は個人設定のデータを入力するための入力画面を表示タッチパネル１２０に表示させ、利用者の入力を促す（ステップＳ２１）。利用者が個人データの入力を完了すると、ＣＰＵ１１０は、処理をステップＳ２６に進める。
【００４６】
ステップＳ２６では、ＣＰＵ１１０は、全て項目が入力されたか否かを判定し、未入力の項目がある場合には、処理をスッテプＳ２０に戻す。一方、全ての項目が入力されている場合には、ＣＰＵ１１０は確認画面を表示タッチパネル１２０に表示させ、入力項目の確認を利用者に促す（ステップＳ２７）。図１３に確認画面の一例を示す。利用者が画面領域Ｘ４１をタッチした場合には、ＣＰＵ１１０は、入力項目の修正画面を表示させる。一方、利用者が画面領域Ｘ４２をタッチした場合には、ＣＰＵ１１０は処理をステップＳ２８に進め、ログインＩＤ、パスワード、及び個人データの組を含む登録要求をサーバ２０に送信する。登録要求を受信したサーバ２０は、第１テーブルＴＢＬ１にログインＩＤ及びパスワードを記憶すると共に、第２テーブルＴＢＬ２にログインＩＤと個人データとを対応付けて記憶する。これにより、新規登録処理が完了する。
【００４７】
＜２−３．追加登録処理＞
図１４は、追加登録処理の内容を示すフローチャートである。まず、ＣＰＵ１１０は、追加登録の入力画面を表示タッチパネル１２０に表示させる（ステップＳ３０）。図１５に追加登録の入力画面の一例を示す。利用者が画面領域Ｘ５１をタッチするとログインＩＤの入力処理に移行し、利用者が画面領域Ｘ５２をタッチするとパスワードの入力処理に移行する。ログインＩＤとパスワードの入力処理は、上述したステップＳ２２〜Ｓ２５と同様であるので、ここでは説明を省略する。
なお、入力画面において、利用者が画面領域Ｘ５３又は画面領域Ｘ５４をタッチした場合には、ログインＩＤとパスワードによる認証が実行できないので、サーバ２０においてシリアルＩＤをどのログインＩＤに対応付けて記憶すればよいか不明であるため、機器の追加登録はできない。そこで、追加登録の替わりに新規登録を行うか否かを利用者に選択させる画面を表示タッチパネル１２０に表示させて、利用者が新規登録を選択した場合には、図１１を用いて説明した新規登録処理を実行してもよい。この新規登録によって、続けて測定を行うことができるので、利用者が測定端末１０に出向く手間を軽減できる。
【００４８】
次に、ＣＰＵ１１０は、ログインＩＤ及びパスワードの入力が完了したか否かを判定し（ステップＳ３１）、入力が完了すると、ＣＰＵ１１０は、個人データの確認画面を表示タッチパネル１２０に表示させて、利用者に確認を促す（ステップＳ３２）。図１６に確認画面の一例を示す。この確認画面において、利用者が画像領域Ｘ６１にタッチすると、確認が完了したとＣＰＵ１１０は判断し、ＣＰＵ１１０は登録内容をサーバ２０に送信する（ステップＳ３３）。より具体的には、ＣＰＵ１１０は、ログインＩＤ及びパスワードの少なくとも一方と、シリアルＩＤと、個人データとの組を含む追加登録要求をサーバ２０に送信する。追加登録要求を受信したサーバ２０は、第１テーブルＴＢＬ１にログインＩＤ及びパスワードの少なくと一方と、シリアルＩＤとを対応付けて記憶する。また、第２テーブルＴＢＬ２にログインＩＤと個人データを対応付けて記憶する。
【００４９】
なお、個人データの変更がない場合には、ＣＰＵ１１０は追加登録要求に個人データを含ませることなく、送信してもよい。また、サーバ２０から測定端末１０への個人データの送信は、ログインＩＤ及びパスワードの認証応答をサーバ２０から測定端末１０へ返信する際に、認証応答に含ませて返信することが好ましい。この場合には、認容要求と独立して、個人データの送信要求を通信端末１０からサーバ２０に送信しなくてもよいので、測定端末１０及びサーバ２０の処理負荷を軽減できると共に通信資源を節約できる。
【００５０】
＜２−４．測定処理＞
図１７は、測定処理の内容を示すフローチャートである。まず、ＣＰＵ１１０は、個人設定の確認画面を表示タッチパネル１２０に表示させる（ステップＳ４０）。この画面は、図１６に示す画面と同じである。
次に、ＣＰＵ１１０は個人設定が確認されたか否かを判定し（ステップＳ４１）、確認された場合に処理をステップＳ４２に進める。具体的には、図１６に示す確認画面において、利用者が画面領域Ｘ６１にタッチすると、確認されたと判定する。測定処理において、個人設定を確認するのは、身長、年齢、性別は、体組成を推定するために必要なパラメータだからでる。特に、利用者が中高生の場合には、身長が変化するので、個人設定を確認することが正確な推定を実行するために重要である。
【００５１】
ステップＳ４２からステップＳ４４では、血圧測定、体重測定、及び体組成測定の順に利用者の生体の状態が測定される。この後、ＣＰＵ１１０は、測定結果を表示タッチパネルに表示させ（ステップＳ４５）、続いて、測定結果である生体データと、ログインＩＤ、パスワード、及びシリアルＩＤを含む生体データ登録要求をサーバ２０に送信する（ステップＳ４６）。サーバ２０は、生体データ登録要求を受信すると、第３テーブルＴＢＬ３にログインＩＤと生体データとを関連付けて記憶する。これにより、測定処理が完了する。
【００５２】
＜２−５．データ閲覧処理＞
図１８は、データ閲覧処理の内容を示すフローチャートである。まず、ＣＰＵ１１０は、データ選択画面を表示タッチパネル１２０に表示させる（ステップＳ５０）。図１９にデータ選択画面の一例を示す。利用者が画面領域Ｘ７１をタッチすると、体重変化ランキングが選択される（ステップＳ５１）。この場合、ＣＰＵ１１０は、シリアルＩＤ及びパスワードを含む体重変化ランキング要求をサーバ２０に送信して、利用者の体重変化ランキングを問い合わせる（ステップＳ５２）。
【００５３】
ここで、体重変化ランキングとは、ある母集団における体重の変化の順位である。例えば、フィットネスクラブＡに属する利用者を母集団としたとき、１ヶ月間で体重の減少が大きいことを基準として、母集団の中の順位がランキングである。したがって、減量が最も大きい人が１位となる。利用者がランキングを認識することによって、減量の励みとなる。
【００５４】
体重変化ランキング要求を受信したサーバ２０は、第３テーブルＴＢＬ３を参照して、利用者の体重変化を算出し、さらに、母集団に属する各利用者の体重変化を各々算出し、当該利用者のランキングを求める。そして、サーバ２０は、ランキングを体重変化ランキング応答として測定端末１０に返信する。ＣＰＵ１１０は、体重変化ランキング応答に基づいて、表示タッチパネル１２０にランキングを表示させる（ステップＳ５３）。なお、サーバ２０で実行するランキングを算出する処理は、測定端末１０から問い合わせがあるごに実行してもよいが、測定端末１０からの要求が少ない時間帯に算出し、算出結果を第３テーブルＴＢＬ３や、ランキング用のテーブルに記憶してもよい。この場合は、算出に時間を要しないので、素早くランキングを表示させることができる。
【００５５】
次に、データ選択画面において、利用者が画面領域Ｘ７２をタッチすると、個人グラフの表示が選択される（ステップＳ５４）。この場合、ＣＰＵ１１０は、グラフの対象となる
体重、体脂肪率、歩数、及び血圧といった項目と期間の選択を利用者に促す選択画面を表示タッチパネル１２０に表示させて、項目と期間の選択を利用者に促す（ステップＳ５５）。
【００５６】
図２０に選択画面の一例を示す。画面領域Ｘ８１〜Ｘ８４が項目を選択する領域であり、画面領域Ｘ８５〜Ｘ８９が期間を選択する領域である。利用者が画面領域Ｘ８１〜Ｘ８４のいずれかと、画面領域Ｘ８５〜Ｘ８９のいずれかにタッチして選択を完了すると、ＣＰＵ１１０は、期間と項目を指定するグラフデータ要求をサーバ２０に送信する（ステップＳ５６）。なお、グラフデータ要求は、シリアルＩＤ又はログインＩＤの少なくとも一方を含む。
【００５７】
グラフデータ要求をサーバ２０が受信すると、ＣＰＵ２１０は、利用者のログインＩＤを特定し、第３テーブルＴＢＬ３を参照して、項目に該当する生体データを抽出する。例えば、項目が歩数である場合には、歩数データを取得する。次に、期間に応じた加工を行って、表示用の歩数データを生成し、これをグラフデータ応答として測定端末１０に送信する。
【００５８】
歩数データは、１時間ごとの歩数を示すものである。一方、期間として選択できるのは、１年、６ヶ月、３ヶ月、３０日、７日である。選択された期間が１年である場合には１時間ごとの歩数を７日ごとの歩数に集約し、選択された期間が６ヶ月である場合には１時間ごとの歩数を７日ごとの歩数に集約し、選択された期間が３ヶ月である場合には１時間ごとの歩数を２日ごとの歩数に集約し、選択された期間が３０日である場合には１時間ごとの歩数を１日ごとの歩数に集約し、選択された期間が７日である場合には１時間ごとの歩数を１日ごとの歩数に集約して表示用の歩数データを生成する。このような表示用の歩数データを生成する処理は、サーバ２０においてグラフデータ要求がある度に生成してもよいが、処理負荷が重い。そこで、測定端末１０からの要求が少ない時間帯、例えば、深夜に算出し、算出結果を第３テーブルＴＢＬ３に記憶しておいてもよい。なお、選択された項目が体重、体脂肪率、血圧の場合は、表示の一単位となる期間の平均値を算出し、表示用の生体データとする。
次に、ＣＰＵ１１０は、グラフデータ応答をサーバ２０から受信すると、個人グラフを表示タッチパネル１２０に表示させる（ステップＳ５７）。
【００５９】
また、ステップＳ５０のデータ選択において、利用者が図１９に示すデータ選択画面の画面領域Ｘ７３にタッチすると、歩数ランキングが選択される（ステップＳ５８）。この場合、ＣＰＵ１１０は、シリアルＩＤ及びパスワードを含む歩数ランキング要求をサーバ２０に送信して、利用者の歩数ランキングを問い合わせる（ステップＳ５９）。ここで、歩数ランキングとは、ある母集団における一定期間の歩数の順位である。
【００６０】
歩数ランキング要求を受信したサーバ２０は、第３テーブルＴＢＬ３を参照して、利用者の歩数データから一定期間の歩数を算出し、さらに、母集団に属する各利用者の一定期間の歩数を算出し、当該利用者のランキングを求める。そして、サーバ２０は、ランキングを歩数ランキング応答として測定端末１０に返信する。ＣＰＵ１１０は、歩数ランキング応答に基づいて、表示タッチパネル１２０にランキングを表示させる（ステップＳ６０）。なお、サーバ２０で実行するランキングを算出する処理は、測定端末１０から問い合わせがあるごとに実行してもよいが、測定端末１０からの要求が少ない時間帯に算出し、算出結果を第３テーブルＴＢＬ３や、ランキング用のテーブルに記憶してもよい。
【００６１】
＜２−６．記録入力処理＞
図２１は、記録入力処理の内容を示すフローチャートである。まず、ＣＰＵ１１０は、目標実践の入力画面を表示タッチパネル１２０に表示させる（ステップＳ７０）。図２２に目標実践の入力画面の一例を示す。利用者は、目標として例えば、ジョギング３０分、体操１０分といったように健康を増進させる目標を設定し、月日の欄に実践の程度を記録する。「○」はやり遂げたことを意味し、「△」は途中まで行ったことを意味し、「×」は実行しなかったことを意味する。利用者は目標実践の入力画面の各画面領域をタッチして、目標と実践を入力する（ステップＳ７１）。記録を残すことによって、利用者の意識が健康に向けられることになる。
次に、ＣＰＵ１１０は、運動実践の入力画面を表示して、利用者に運動実践の記録を行うように促す（ステップＳ７２）。図２３に運動実践の入力画面の一例を示す。日付の下の欄を利用者がタッチすると、テニス、水泳、散歩といった各種の運動がメニュー形式で表示される。利用者はメニューの中から該当する運動を選択することによって、記録することができる。
次に、ＣＰＵ１１０は、目標達成の入力画面を表示して、目標達成の記録を行うように促す（ステップＳ７３）。図２４に目標達成の入力画面の一例を示す。なお、この例では、腹囲を目標としている。日付の下の欄を利用者がタッチすると、腹囲を入力することが可能となる。また、４週間で腹囲を４ｃｍ減少させるといった目標を立てた場合、１週間経過した時点で１ｃｍ減少していれば、２５％達成といたったように目標到達の割合を入力できるようになっている。
これらの入力が終了すると、ＣＰＵ１１０は、パスワード及びシリアルＩＤと、記録データを含む記録データ登録要求を生成し、これをサーバ２０に送信する。サーバ２０は記録データ登録要求を受信すると、ＣＰＵ２１０は、第１テーブルＴＢＬ１を参照して、シリアルＩＤからログインＩＤを取得し、ログインＩＤと記録データとを対応付けて第４テーブルに記憶する。また、ＣＰＵ１１０は、ステップＳ７０の処理に先立って、シリアルＩＤを含む記録データ取得要求をサーバ２０に送信する。サーバ２０は記録データ取得要求を受信すると、ＣＰＵ２１０は、第１テーブルＴＢＬ１を参照して、シリアルＩＤからログインＩＤを取得し、このログインＩＤを用いて第４テーブルから記録データを取得する。そして、ＣＰＵ２１０は取得した記録データを含む記録データ取得応答を測定端末２１０に送信する。測定端末１０は、取得した記録データに基づいて、目標実践の入力画面、運動実践の入力画面、目標達成の入力画面を表示させることができる。
【００６２】
＜３．変形例＞
本発明は、上述した実施形態に限定されるものではなく、例えば、以下の変形が可能である。
（１）上述した健康管理システム１において利用者を呼び出す機能を付加してもよい。例えば、利用者の携帯電話機のメールアドレスや電話番号をサーバ２０に登録しておき、利用者が設定した時間になると、携帯電話機に対してＥメールを送信したり、自動音声で測定を促すアナウンスを送信してもよい。ここで、メールアドレスや電話番号の登録は、個人通信端末３０から行ってもよいし、あるいは、測定端末１０で行ってもよい。この場合、サーバ２０は、第５テーブルを備える。第５テーブルには、ログインＩＤ、メールアドレス又は電話番号、次回の通知時刻が対応付けられて記憶されている。ＣＰＵ１１０は、所定の周期で第５テーブルをスキャンして、通知時刻が到来すると呼び出しを実行すればよい。なお、歩数計の機能を搭載した携帯電話機であれば、携帯装置６０を兼用することができるので、利用者に便利である。
【００６３】
（２）上述した健康管理システム１において、測定端末１に出向かない利用者に対して、第三者に呼び出しを依頼する機能を付加してもよい。この場合、サーバ２０は、個人データとして氏名を記録する。また、ＣＰＵ２１０は各利用者が測定端末１０に出向いて測定した最終の日付を、第３テーブルＴＢＬ３を周期的に検索することにより把握し、測定間隔が所定日数以上となっている利用者のログインＩＤを抽出する。また、ＣＰＵ２１０は、第２テーブルＴＢＬ２を参照して、抽出したログインＩＤに対応する氏名を特定する。くわえて、ＣＰＵ２１０は第１テーブルＴＢＬ１を参照して、抽出したログインＩＤに対応するサイトＩＤを取得する。次に、ＣＰＵ２１０は、サイトＩＤごとに分類した氏名のリストを作成する。そして、ＣＰＵ２１０は、通信端末１０から受信した認証要求に真である旨の認証応答を返信する際に、認証要求の利用者のサイトＩＤと同じサイトＩＤに含まれる
【００６４】
（３）上述した健康管理システム１では、利用者が個人データとして身長を入力する必要があったが、利用者の身長を自動的に計測してもよい。図２５に変形例に係わる測定端末１０Ａの概観構成を示す。この測定端末１０Ａは、重量測定装置１６０の真上の天井に距離センサ１９０を設ける点を除いて、上述した測定端末１０と同様に構成されている。距離センサ１９０は、例えば、超音波センサで構成されており、天井から真下にある物体までの距離を出力する。ここで、超音波センサによって計測された距離をＬ１、天井から重量測定装置１６０までの距離をＬ２、利用者の身長をｈとする。上述したように生体インピーダンスを測定する場合、利用者は、重量測定装置１６０の上に立って、左右の掌でグッリップ１５及び１６を把持する。このタイミングで、利用者の身長を計測すればよい。具体的には、ＣＰＵ１１０がｈ＝Ｌ２−Ｌ１を演算して利用者の身長を算出する。この変形例によれば、生体インピーダンスの測定と同時に身長を自動的に計測するので、利用者は測定端末１０に身長を入力する必要がない。なお、距離Ｌ２は測定端末１０Ａを設置する際に表示タッチパネル１２０を用いて管理者が入力してもよいし、あるいは、利用者が測定端末１０Ａを使用していない状態で、距離センサ１９０を用いて天井から重量測定装置１６０までの距離を計測し、これを距離Ｌ２として測定端末１０Ａで記憶すればよい。
【００６５】
（４）上述した健康管理システム１では、血圧測定と体重測定とを個別に実行したがこれらの測定を同時に実行してもよい。図２６に変形例に係わる測定端末１０Ｂの外観構成を示す。測定端末１０Ｂでは、台座１１の上に重量測定装置１６０が設けられており、さらにその上にベース１１Ａが設けられている。さらに、血圧測定装置１８０の支持部材１４はベース１１Ａと固着されている。またベース１１Ａの上には、椅子１３が取り付けられている。利用者が椅子１３に座っていない状態において重量測定装置１６０で測定された重量をＷ１、利用者が椅子１３に座った状態において重量測定装置１６０で測定された重量をＷ２、利用者の体重をＷ３とすれば、利用者の体重はＷ３＝Ｗ２−Ｗ１で与えられる。血圧の測定時には、利用者は椅子１３に座って、左腕を血圧測定装置１８０に差し入れる。この状態でも重量Ｗ２は測定可能である。これは、ベース１１Ａの上に椅子１３及び血圧測定装置１８０、並びにベース１１Ａに固着されて血圧測定装置１８０を支える支持部材１４が設けられているからである。この変形例によれば、血圧と体重を同時に測定できるので、測定時間を短縮することが可能となる。
【図面の簡単な説明】
【００６６】
【図１】本発明の一実施形態に係る健康管理システム１の構成を示すブロック図である。
【図２】測定端末１０の外観構成を示す斜視図である。
【図３】測定端末１０の電気的構成を示すブロック図である。
【図４】サーバ２０の電気的構成を示すブロック図である。
【図５】第１〜第３テーブルの記憶内容を示す説明図である。
【図６】測定端末１０の全体動作を示すフローチャートである。
【図７】測定端末１０の全体動作を示すフローチャートである。
【図８】機器選択の画面例を示す図である。
【図９】新規登録又は追加登録を選択する画面例を示す図である。
【図１０】動作選択画面の一例を示す図である。
【図１１】新規登録処理の内容を示すフローチャートである。
【図１２】新規登録の入力画面例を示す図である。
【図１３】確認画面の一例を示す図である。
【図１４】追加登録処理の内容を示すフローチャートである。
【図１５】追加登録の入力画面例を示す図である。
【図１６】確認画面の一例を示す図である。
【図１７】測定処理の内容を示すフローチャートである。
【図１８】データ閲覧処理の内容を示すフローチャートである。
【図１９】データ選択画面の一例を示す図である。
【図２０】選択画面の一例を示す図である。
【図２１】記録入力処理の内容を示すフローチャートである。
【図２２】目標実践の入力画面の一例を示す図である。
【図２３】運動実践の入力画面の一例を示す図である。
【図２４】目標達成の入力画面の一例を示す図である。
【図２５】変形例に係わる測定端末１０Ａの概観構成を示す図である。
【図２６】変形例に係わる測定端末１０Ｂの外観構成を示す図である。
【符号の説明】
【００６７】
１…健康管理システム、１０…測定端末、２０…サーバ、５０…認証装置、６０…携帯装置、１１０…ＣＰＵ、１２０…表示タッチパネル、１３０…入力部、１６０…重量測定装置、１７０…生体電気インピーダンス測定部、１８０…血圧測定装置。
【図１】
2010086220.tif 000003
【図２】
2010086220.tif 000004
【図３】
2010086220.tif 000005
【図４】
2010086220.tif 000006
【図５】
2010086220.tif 000007
【図６】
2010086220.tif 000008
【図７】
2010086220.tif 000009
【図８】
2010086220.tif 000010
【図９】
2010086220.tif 000011
【図１０】
2010086220.tif 000012
【図１１】
2010086220.tif 000013
【図１２】
2010086220.tif 000014
【図１３】
2010086220.tif 000015
【図１４】
2010086220.tif 000016
【図１５】
2010086220.tif 000017
【図１６】
2010086220.tif 000018
【図１７】
2010086220.tif 000019
【図１８】
2010086220.tif 000020
【図１９】
2010086220.tif 000021
【図２０】
2010086220.tif 000022
【図２１】
2010086220.tif 000023
【図２２】
2010086220.tif 000024
【図２３】
2010086220.tif 000025
【図２４】
2010086220.tif 000026
【図２５】
2010086220.tif 000027
【図２６】
2010086220.tif 000028